【手続補正書】
【提出日】平成18年3月30日(2006.3.30)
【手続補正１】
【補正対象書類名】明細書
【補正対象項目名】特許請求の範囲
【補正方法】変更
【補正の内容】
【特許請求の範囲】
【請求項１】  ターゲットが定められた広告を複数のテレビ端末に提供し、特定の広告を特定の視聴者に対して表示できるようにする方法であって、
前記テレビ端末からの遠隔位置において、少なくとも一つの基本広告を一つのプログラム・チャネルに割り当てるステップと、
前記遠隔位置において、少なくとも一つの代替的な広告を少なくとも一つのフィーダ・チャネルに割り当てるステップと、
前記遠隔位置において、スイッチング・プランを生成するステップと、
前記スイッチング・プランを一つ以上の前記テレビ端末に提供するステップと、
前記スイッチング・プランを一つ以上の前記テレビ端末に記憶するステップとを備え、
セットトップ端末中のセットトップ・スイッチング・エンジンは、前記プログラム・チャネルでのプログラムの放送において生じるプログラム・ブレークの間に、前記スイッチング・プランを使用して前記テレビ端末に命令を発し、前記プログラム・チャネル及び前記少なくとも一つのフィーダ・チャネルの中から一つを選択させる方法。
【請求項２】  前記スイッチング・プランを生成するステップは、
一つ以上の前記テレビ端末を少なくとも一つのグループに割り当てるステップと、
前記グループのそれぞれに対して一意的なグループ・マスクを指定するステップと、
一つ以上の前記グループを前記プログラム・チャネル及び前記少なくとも一つのフィーダ・チャネルの中の一つに割り当てるステップと、
を含んでおり、前記グループ・マスクは、前記テレビ端末のどれが前記プログラム・ブレークの間に前記プログラム・チャネルと前記少なくとも一つのフィーダ・チャネルとに同調するかを指示する請求項１に記載の方法。
【請求項３】  前記グループの割当てと対応するグループ・マスクとはテレビ端末のメモリに記憶される請求項２に記載の方法。
【請求項４】  前記グループの割当ては、郵便番号、人口データ及びプログラム試聴データの中の少なくとも一つに基づいて決定され、前記グループの割当ては、前記郵便番号、人口データ及びプログラム試聴データにおける変化を反映するように更新される請求項２に記載の方法。
【請求項５】  複数のチャネルを用いて広告をテレビ端末に向けて方向付ける方法であって、
複数のプログラム・ブレークを含むプログラムを放送するステップであって、前記プログラム・ブレークのそれぞれは少なくとも一つのデフォルトの広告を含む、ステップと、
少なくとも一つの代替的な広告を放送するステップと、
スイッチング・プランを放送するステップであって、前記スイッチング・プランは、一つ以上の前記テレビ端末に命令して、プログラム・ブレークの間に前記デフォルトの広告及び前記少なくとも一つの代替的な広告の中の一つを表示させるステップと、
を備え、
前記スイッチング・プランは、前記プログラムの送信に伴って前記テレビ端末に周期的に提供される方法。
【請求項６】  広告のカテゴリを作成するステップと、
グループ・カテゴリを定義するステップと、
各グループ・カテゴリに対して、少なくとも一つのグループを定義するステップと、
各グループ・カテゴリに対して、各テレビ端末を前記少なくとも一つのグループに割り当てるステップと、
前記広告のカテゴリ、前記グループ・カテゴリ及び前記グループの割当てに基づいてグループ割当てマトリクスを作成するステップと、
を更に含み、
前記スイッチング・プランを前記グループ割当てマトリクスと比較することにより、前記デフォルトの広告及び前記少なくとも一つの代替的な広告の中の一つを受信するために同調すべきチャネルを決定することができる請求項５に記載の方法。
【請求項７】  前記スイッチング・プランを生成するステップを更に備え、
前記スイッチング・プランを生成する該ステップは、
前記デフォルトの広告をプログラム・チャネルに割り当てるステップと、
代替的な広告を少なくとも一つのフィーダ・チャネルに割り当てるステップと、
前記プログラム・チャネル及び前記少なくとも一つのフィーダ・チャネルのそれぞれにグループを割り当てるステップと、
グループ・マスク割当てを作成するステップであって、前記グループ・マスク割当ては、前記スイッチング・プランと前記グループ割当てマトリクスとを比較するために用いられる、ステップと、
を含む請求項６に記載の方法。
【請求項８】  前記プログラム・チャネル及び前記少なくとも一つのフィーダ・チャネルのそれぞれにグループを割り当てるステップは、
ターゲットが定められた広告を伴う複数のカテゴリと、前記複数のプログラムのそれぞれを見る視聴者全体の第１のパーセンテージとに基づいて、複数のプログラムのそれぞれをランク付けするステップと、
視聴者全体の第２のパーセンテージに基づいてターゲットが定められた複数の広告をランク付けするステップと、
前記ターゲット・カテゴリのそれぞれにおける前記複数のプログラムのそれぞれに対して、前記第１及び第２のパーセンテージに基づいて、全体で最高のランキングを備えたターゲットが定められた広告を決定するステップと、
前記全体で最高のランキングを備えたターゲットが定められた広告が第１のプログラム・チャネルで表示されるように割り当てるステップと、
全体のランキングがより低いターゲットが定められた広告が第２のプログラム・チャネルで表示されるように割り当てるステップと、
ターゲットが定められた最終的な広告が一つ以上のフィーダ・チャネルで送信されるように割り当てるステップであって、前記一つ以上のフィーダ・チャネルのそれぞれには前記第２のプログラム・チャネルの対応する一つが関連付けされている、ステップと、
を含む請求項７に記載の方法。
【請求項９】ターゲットが定められた広告を受信して表示することの可能な複数のテレビ端末に該広告を提供する方法であって、
遠隔位置において、ターゲットが定められた複数の広告からなるパッケージを作成するステップと、
前記パッケージを一つ以上の前記テレビ端末に提供するステップであって、前記テレビ端末は前記パッケージをメモリに記憶する、ステップと、
一つ以上の前記テレビ端末を複数のグループに割り当てるグループ割当てマトリクスを生成するステップであって、グループの割当ては一つ以上の前記テレビ端末に共通する一つ以上の特徴に基づいている、ステップと、
前記グループ割当てマトリクスを一つ以上の前記テレビ端末に提供するステップであって、前記テレビ端末は前記グループ割当てマトリクスを前記メモリに記憶する、ステップと、
表示されているプログラムのチャネルを複数のチャネルの一つに切り替えるための命令を提供するスイッチング・プランを生成するステップと、
前記スイッチング・プランを一つ以上の前記テレビ端末に提供するステップであって、前記テレビ端末は前記スイッチング・プランを前記メモリに記憶する、ステップと、
プログラムを前記複数のテレビ端末に放送するステップであって、前記プログラムは少なくとも一つのプログラム・ブレークを含む、ステップと、
前記プログラムを受信するテレビ端末を、前記少なくとも一つのプログラム・ブレークの間に、前記スイッチング・プランに従って、複数のチャネルの中の一つにスイッチングするステップであって、前記複数のチャネルのそれぞれはターゲットが定められた広告の前記パッケージから選択された異なる広告を搬送する、ステップと、
を含む方法。
【請求項１０】前記テレビ端末をスイッチングする前記ステップは、
前記テレビ端末において、前記グループ割当てマトリクスを前記スイッチング・プランと比較するステップと、
前記比較に基づいてチャネルを選択するステップと、
を更に含む請求項９に記載の方法。
【請求項１１】ターゲットが定められた広告を複数のテレビ端末に提供する方法であって、
ターゲットが定められた広告のパッケージを生成するステップと、
ターゲットが定められた広告の前記パッケージから、少なくとも一つの基本広告をプログラムに割り当てるステップと、
ターゲットが定められた広告の前記パッケージから、少なくとも一つの代替的な広告を前記プログラムに割り当てるステップと、
ターゲットが定められた広告の前記パッケージを前記複数のテレビ端末に提供するステップであって、前記複数のテレビ端末のそれぞれは前記パッケージをメモリに記憶する、ステップと、
前記複数のテレビ端末のそれぞれを少なくとも一つのグループに割り当てるステップと、
オペレーション・センタにおいてスイッチング・プランを生成するステップと、
前記スイッチング・プランを前記複数のテレビ端末に提供するステップであって、前記複数のテレビ端末のそれぞれは前記スイッチング・プランを前記メモリに記憶するステップとを備え、
前記スイッチング・プランは、前記複数のテレビ端末のそれぞれに、プログラム・チャネルでのプログラムの放送において生じるプログラム・ブレークの間に、前記グループの割当てに基づいて、前記基本広告及び前記少なくとも一つの代替的な広告の中の一つを前記メモリから選択するように命令する、方法。